(57)【要約】      （修正有）【課題】複数の接続機器を操作可能なコンテンツ再生システムの操作性向上に関する。【解決手段】映像再生システムは、ＶＴＲと、ＰＶＲと、ＴＶを有している。リモコンからのリモコンコードにより命令を受け付けた後機器を動作させる。命令は、入力選択・タイミング調整部にも伝えられ、これに応じて、ＴＶへの入力を入力１と入力２とで切換える。ＶＴＲからの入力１は、ＰＶＲにも入力されて、記憶装置内に格納される。ＶＴＲからの入力に基づく映像・音声信号は、ＴＶとＰＶＲとに対して並行して出力される。ＶＴＲからの出力の開始タイミングで、ＴＶへの出力が、入力１から入力２へと切り替わる。入力２は、入力１から記憶装置１３へ送られて、一旦記憶装置１３に記憶された後にＴＶ２１に送られる信号である。入力１と入力２との間に時間的なずれを入力選択・タイミング調整部で調整する。【選択図】図１
2008021347.tif 000002
【特許請求の範囲】
【請求項１】
コンテンツを再生する第1のコンテンツ再生部を有するコンテンツ再生機器と、
コンテンツを記録するコンテンツ記録部とコンテンツを再生する第２のコンテンツ再生部を有し、記録されたコンテンツに対して前記コンテンツ再生機器よりも高速にアクセス可能なコンテンツ記録再生機器と、
前記第１の入力を前記コンテンツ記録部に出力するためのコンテンツ転送経路と、
前記コンテンツ再生機器からの第１の入力と、前記コンテンツ記録再生機器からの第２の入力と、を切換える入力選択部を備えたコンテンツ出力機器と、
を有することを特徴とするコンテンツ再生システム。
【請求項２】
前記コンテンツ再生機器からの出力の開始操作に応じて、前記コンテンツ出力機器への出力元が、前記コンテンツ再生機器から前記コンテンツ記録再生機器に切り替わることを特徴とする請求項１に記載のコンテンツ再生システム。
【請求項３】
前記コンテンツ再生機器からの出力開始タイミングで、前記コンテンツ出力機器への出力元が、前記コンテンツ再生機器から前記コンテンツ記録再生機器に切り替わることを特徴とする請求項１に記載のコンテンツ再生システム。
【請求項４】
さらに、前記コンテンツ再生機器からの第１の入力と、前記コンテンツ記録再生機器からの第２の入力と、のタイミングが同期する方向に調整するタイミング調整部を有することを特徴とする請求項１から３までのいずれか１項に記載のコンテンツ再生システム。
【請求項５】
前記コンテンツ出力機器への指示のうち、高速アクセスを必要とする指示に前記第２の入力を優先的に利用することを特徴とする請求項１から４までのいずれか１項に記載のコンテンツ再生システム。
【請求項６】
コンテンツ再生機器から出力されたコンテンツを、ランダムアクセス可能なコンテンツ記録部に記録するステップと、
出力の開始指示に応じて、コンテンツ再生装置にコンテンツを出力するソースを前記コンテンツ再生機器から前記コンテンツコンテンツ記録部に切換えるステップと、
を有することを特徴とするコンテンツ再生方法。
【発明の詳細な説明】
【技術分野】
【０００１】
本発明は、コンテンツ再生システムに関し、特に、複数の接続機器を操作可能なコンテンツ再生システムの操作性向上に関する。
【背景技術】
【０００２】
現在、コンテンツの再生が可能な機器には、ＰＶＲ（Ｐｅｒｓｏｎａｌ  Ｖｉｄｅｏ  Ｒｅｃｏｒｄｅｒ）などの操作レスポンスの良い機器と、ＶＴＲ（Ｖｉｄｅｏ  Ｔａｐｅ  Ｒｅｃｏｒｄｅｒ）などの操作レスポンスがそれほど良くない機器と、が混在している状況にある。これらに用いられる記録メディアは、互換性がない場合が多いため、どのように連動させて動作させるかが問題になっている。
【０００３】
例えば、ＰＶＲでは、追っかけ再生等の特殊再生や操作レスポンスの良い早送り／巻戻しが可能であるが、ＶＴＲでは、このような機能を有さない。これらの機器を連動させるための提案がいくつかなされている。複数の機器を接続した場合に、再生時における機器切換時の操作の煩雑さをなくするために、下記特許文献１では入力切換に連動して接続機器を制御する技術が開示されている。また、視聴していた機器を再び視聴する際に続きから見られるように、下記特許文献２では、入力切換時に直前の再生位置から再生を行う技術が記載されている。
【０００４】
【特許文献１】特開2002-354351号公報
【特許文献２】特開2004-364227号公報
【発明の開示】
【発明が解決しようとする課題】
【０００５】
しかしながら、接続された機器がテープメディア等の場合、特殊再生が難しく、早送り／巻戻しに時間を要する。また機器の操作に応じたレスポンスが遅く、例えば、一旦他の再生機器により放送を視聴しておいた後に、ＶＴＲを利用し元のテープメディアに戻って視聴を再開する場合に、再生が再開されるまでテープ送りに関連する時間を要する。尚、再生する映像を新たに設けられる記憶装置に蓄積する方法もあるが、記憶装置が必要となるため、コスト高になるという問題がある。
【０００６】
本発明は、ＶＴＲとＰＶＲなど異なる機器間の新たな連携技術を提供することを特徴とする。
【課題を解決するための手段】
【０００７】
本発明は、テープ等の再生機器の出力をPVR等の録再機器へ入力、録画する機能を設け、テープ等の再生時にPVR等特殊再生が可能でレスポンスの良い録再機器へも記録を行うよう制御する。テープ等の再生機器への早送り／巻戻し／特殊再生の指示時にはPVR等に録画した内容に対して特殊再生等を行い、またＴＶの入力の切換を行う。テープ等を停止状態から再開する際には、代わりにＰＶＲ等の映像を再生し直ちに再生可能とする。
【０００８】
すなわち、本発明の一観点によれば、コンテンツを再生する第1のコンテンツ再生部を有するコンテンツ再生機器と、コンテンツを記録するコンテンツ記録部とコンテンツを再生する第２のコンテンツ再生部を有し、記録されたコンテンツに対して前記コンテンツ再生機器よりも高速にアクセス可能なコンテンツ記録再生機器と、前記第１の入力を前記コンテンツ記録部に出力するためのコンテンツ転送経路と、前記コンテンツ再生機器からの第１の入力と、前記コンテンツ記録再生機器からの第２の入力と、を切換える入力選択部を備えたコンテンツ出力機器と、を有することを特徴とするコンテンツ再生システムが提供される。
【０００９】
前記コンテンツ再生機器からの出力の開始操作に応じて、前記コンテンツ出力機器への出力元が、前記コンテンツ再生機器から前記コンテンツ記録再生機器に切り替わることが好ましい。また、前記コンテンツ再生機器からの出力開始タイミングで、前記コンテンツ出力機器への出力元が、前記コンテンツ再生機器から前記コンテンツ記録再生機器に切り替わることが好ましい。
【００１０】
さらに、前記コンテンツ再生機器からの第１の入力と、前記コンテンツ記録再生機器からの第２の入力と、のタイミングが同期する方向に調整するタイミング調整部を設けても良い。前記コンテンツ出力機器への指示のうち、高速アクセスを必要とする指示に前記第２の入力を優先的に利用することができる。
【００１１】
本発明の他の観点によれば、コンテンツ再生機器から出力されたコンテンツを、ランダムアクセス可能なコンテンツ記録部に記録するステップと、出力の開始指示に応じて、コンテンツ再生装置にコンテンツを出力するソースを前記コンテンツ再生機器から前記コンテンツコンテンツ記録部に切換えるステップと、を有することを特徴とするコンテンツ再生方法が提供される。
【発明の効果】
【００１２】
本発明によれば、早送り／巻戻し等のレスポンスの悪い機器からのコンテンツ再生においても、レスポンスの良い処理が行なわれているようにユーザに感じさせることができ、いらいら感が軽減する。また、再生を再開する際にも、直ちに再生を行うことができる。
【発明を実施するための最良の形態】
【００１３】
以下の実施の形態において、コンテンツに対してランダムアクセスが可能な機器についてＰＶＲを例にして説明し、コンテンツに対してシーケンシャルな処理はできるがランダムアクセスできない機器についてＶＴＲを例にして説明する。
【００１４】
図１は、本発明の第１の実施の形態による映像再生システムの一構成例を示す機能ブロック図である。図１に示す映像再生システムは、ＶＴＲ１と、ＰＶＲ１１と、テレビ受信機２１と、を有している。ＶＴＲ１は、それを制御する制御部５を有しており、制御部５からの制御に基づいて、テープメディア３を例えば図示しないモータにより回転させてヘッドにより読取り、所定の信号処理を行なった後にＴＶ２１に対して出力する（この信号を入力１の信号と称する）。
【００１５】
ＰＶＲ１１は、制御部１５と、ＨＤＤなどの記憶装置１３と、を有している。制御部１５からの制御に基づいて、記憶装置１３のデータを読取り、所定の信号処理を行なった後にＴＶ２１に対して出力する（この信号を入力２の信号と称する）。
【００１６】
ＴＶ２１は、入力選択・タイミング調整部２３と、リモコン３１などの操作に基づく命令を受け付ける命令受付部２５と、制御部２７と、を有している。リモコンからのリモコンコードにより命令を命令受付部２５で受け付けた後、この命令を制御部２７に伝え、機器を動作させる。制御部２７からの命令は、入力選択・タイミング調整部２３にも伝えられ、これに応じて、ＴＶ２１への入力が入力１と入力２とで切換えられる。図１に示す構成において、ＶＴＲ１からの入力１は、コンテンツ転送経路ＬによりＰＶＲ１１にも入力されて、記憶装置１３内に格納されるように構成されている。尚、コンテンツ転送経路Ｌは、コンテンツを複写又は転送できる手段であれば、有線又は無線のいずれの手段を用いても良い。
【００１７】
上記構成における使用方法の一例について説明を行なう。ＶＴＲ１からの入力１に基づく映像・音声信号は、ＴＶ２１とＰＶＲ１１とに対して並行して出力される。このＶＴＲ１からの出力の開始タイミングで、又は、所定の操作に応じて、ＴＶ２１への出力が、入力１から入力２へと切り替わる。入力２は、入力１から記憶装置１３へ送られて、一旦記憶装置１３に記憶された後にＴＶ２１に送られる信号である。所定の操作に応じて入力１と入力２とを切換える場合には、入力１と入力２との間に時間的なずれが生じる場合があるが、この時間的なずれに関しては入力選択・タイミング調整部２３において調整することができる。尚、入力選択・タイミング調整部２３は、入力選択（切換え）とタイミング調整を行なう別々の機能ブロックとして設けられていても良い。
【００１８】
時間的なずれの調整方法としては、操作が行なわれた後も短時間だけ入力１と入力２との両方をＴＶ２１に取り込み、入力１と入力２との時間的なずれ量を計算し記憶しておき、そのずれが可能な限り小さくなるように調整した後に入力２からの信号に基づく映像・音声をＴＶ２１に出力する方法がある。また、上記において計算された時間的なずれ量は、後の処理において利用可能な場合にはいつでも利用できるようにして記憶し参照できるようにしておくのが好ましい。制御部２７からの指示は、制御部５及び制御部１５にも送られ、これにより入力１と入力２とのタイミングを調整することができる。
【００１９】
ＴＶ２１への出力が、入力１から入力２に切り替わると、その後は、ＶＴＲのテープメディア３からの再生が終了するまで、ＶＴＲ１から記憶装置１３を経て入力２としてＴＶ２１への出力が行なわれる。従って、実際には、テープメディアが情報ソースであるにもかかわらず、あたかもＰＶＲが情報ソースであるかのように構成することができる。
【００２０】
上記動作について図２のタイミングチャート図を元に説明を行なう。図２には、時間軸（横軸）に関して、ＶＴＲ１の入力１と、ＰＶＲ１１の録画（記憶）と、ＰＶＲ１１の出力（ＴＶ２１の表示）と、の時間的な関係が示されている。適宜、図１も参照しながら説明を行なう。
【００２１】
例えば、時間ｔ０においてＶＴＲ１の再生指示が行なわれると、ＰＶＲ１１において、ＶＴＲからのデータがＰＶＲ１１の記憶装置１３に記憶（録画）される。入力１から入力２への切換えはｔ０の時点で行なわれ、ＰＶＲ１１の出力（入力２）はＴＶ２１には、入力２に基づく出力（表示）がなされる。例えば、時間ｔ１においてＶＴＲ１の再生に関する一時停止指示がなされると、入力１に基づく記憶装置１３へのデータ転送処理と記憶処理とは継続して行なわれるが、ＴＶ２１への表示は停止される。例えば、時間ｔ２において再生再開の指示がなされると、ＴＶ２１には、入力２に基づく記憶装置１３からの信号が送られ、これに基づいて表示がなされる。ＰＶＲ１１に対応して示されるハッチの領域は、記憶装置１３に記憶されている内容のうち一時停止時ｔ１からの記憶部分であり、再生再開時点ｔ２においては既に先行して録画がなされているため、入力２に基づいてＴＶ２１に表示をさせることができる。ＰＶＲ１１の記憶装置１３に対するＶＴＲ１からの録画処理が時点ｔ’において終了しているが、実際のＰＶＲ１１からの入力２はｔ２から、ｔ’−ｔ１時間の期間だけは再生されている。
【００２２】
例えば、この間にｔ１以降ｔ２以前の時間ｔ３において、しおり挿入処理がなされたとする。その後、例えばｔ２以降の時間ｔ４からであっても、しおり再生指示が行なわれると、ＰＶＲ１１の記憶装置１３から、ＴＶ２１に、ＰＶＲ１１中のしおりが挿入された時間から始まる再生内容が、時間ｔ４からしおり再生という形でＴＶにおいて再生される。このように、ＰＶＲ１１へのデータ記憶が行なわれた部分については、ランダムなアクセスが可能であり、早送りや巻き戻しなどを含むランダムアクセス可能な機器ならではといえる特殊再生が可能となる。すなわち、一旦、ＰＶＲ１１に記録されてしまえば、その部分については、ＰＶＲ１１からの再生処理になるため、上記のような種々の処理が可能になる。尚、停止位置については、一般的なＰＶＲと同様に、メモリ等により記憶しておくことで対応可能である。
【００２３】
次に、本発明の第２の実施の形態による映像再生システムについて図１を含む図面を参照しながら説明を行なう。図３は、本実施の形態による映像再生システムの利用方法の一例を示す図である。映像再生システムの構成は、図１と同様でも良い。図３において横軸は時間である。まず、時間ｔ１０において、ＶＴＲ１の再生指示が行なわれると、ＰＶＲ１１において、ＶＴＲ１からのデータがＰＶＲ１１の記憶装置１３に高速記憶（高速録画）される。高速録画とは、再生速度よりも例えば２倍又は３倍の高速で録画する処理を指す。ＶＴＲ１は高速再生を行い、コンテンツ転送経路ＬによりＰＶＲ１１に高速転送される。ＰＶＲ１１は高速録画中のコンテンツを通常速度で再生を行い、その出力（入力２）がＴＶ２１に入力され、入力２に基づく出力（表示）がなされる。例えば、時間ｔ１１においてＶＴＲ１からの出力に基づくＰＶＲ１１への高速録画処理が終了する。この時点では、入力２に基づくＴＶ２１の再生は終了していない。
【００２４】
次いで、ｔ１１よりも後の時間ｔ１２において番組の早送りの指示が行なわれると、ＶＴＲ１の早送りではなくＰＶＲ１１に録画済みの番組に関する早送りが行なわれる。この場合にも、番組のシーケンスとＰＶＲ１１内に記憶されている番組のシーケンスとは１対１に対応付けされているものとする。
【００２５】
次いで、早送りの途中の時間ｔ１３において再生指示がなされると、ＰＶＲ１１の録画済み番組に基づく、早送り停止位置からのＴＶ２１への再生が行なわれる。この場合においても、ＶＴＲ１に基づく早送り、再生処理と比較して、ＰＶＲ１１の録画済み番組に基づく早送り、再生処理であるため、極めて高速に処理を行なうことができるという利点がある。
【００２６】
尚、上記の例においては、ランダムアクセスできない（低速の）記録再生装置をＶＴＲで例示し、ランダムアクセス可能な（高速の）記録再生装置をＰＶＲで例示したが、これらの機器に限定されるものではないのは言うまでもない。
【００２７】
また、ＴＶへの指示は、例えば、各機器に、ＶＴＲ１に対するリモコンコードの指示を本発明のシステムの各機器での動作指示に置き換えるリモコン命令受付部を設けても良いし、ビデオマウスを用いてＶＴＲと同じコードによる指示を各機器へ行なうようにしても良いし、ＴＶとＰＶＲを例えばＩＥＥＥ１３９４規格等により接続しておき、ＴＶからＰＶＲを制御するようにしても良い。
【産業上の利用可能性】
【００２８】
本発明は、映像再生システムに利用可能である。
【図面の簡単な説明】
【００２９】
【図１】本発明の第１の実施の形態による映像再生システムの一構成例を示す機能ブロック図である。
【図２】時間軸（横軸）に関して、ＶＴＲの入力１と、ＰＶＲの録画（記憶）と、ＰＶＲの出力（ＴＶの表示）と、の時間的な関係が示すタイミングチャート図である。
【図３】本発明の第２の実施の形態による映像再生システムの利用方法の一例を示す図である。
【符号の説明】
【００３０】
１…ＶＴＲ、３…テープメディア、５…制御部、１１…ＰＶＲ、１３…記憶装置、１５…制御部、２１…テレビ（ＴＶ）受信機、２３…入力選択・タイミング調整部、２５…命令受付部、２７…制御部、リモコン３１。
【図１】
2008021347.tif 000003
【図２】
2008021347.tif 000004
【図３】
2008021347.tif 000005